(57)【要約】【課題】  片手で把握柄を繰り返し握ることでロック、解除ができる剪定鋏を目的とする。【解決手段】  鋏の開閉中心部より先端側に刃部を、基端側に横断形状がＵ字状の把握柄部を向かい合わせて設けた鋏に、一方の把握柄部のＵ字状内側に、螺旋状に成形したコイルバネの螺旋内側を軸で挿着し、巻き始めの長い直線部をＬ字状先端に他端の巻き終わりを短い直線部に成形し、短い直線部をＵ字状内側の受け部に当接させ、Ｌ字状先端を他方の把握柄部のＵ字状内側のループ状循環溝に係合させ鋏を開き方向に付勢し、Ｌ字状先端が循環溝をナゾリながら移動する過程で離脱しないように背面板を設け、ロックと解除が交互に出来るようにした。【選択図】図５
0003121321.tif 000002
【実用新案登録請求の範囲】
【請求項１】
一対の鋏片の開閉中心部を回動可能に支持軸で蝶着し、前記開閉中心部より先端側に刃部を、基端側に横断形状がＵ字状の把握柄部を向かい合わせて設けた鋏に於いて、一方の把握柄部の支持軸と把握部の中間付近の前記Ｕ字状内側に、螺旋状に成形したコイルバネの螺旋内側を軸状係止手段で挿着し、巻き始めの長い直線部をＬ字状先端に、他端の巻き終わりを短い直線部に成形し、前記短い直線部をＵ字状受け部内側に反力受けとし当接させるとともに、Ｌ字状先端を他方の把握柄部の中央近傍のＵ字状内側のループ状循環溝に係合させ鋏を開き方向に付勢し、前記循環溝には平行に設けた主直線と副直線と折り返し先に、Ｗ形状に屈曲した凹部と凸部と戻り側の前記副直線と屈曲して徐々に浅くなる段差の端部を前記主直線に合流するように設け、Ｌ字状先端の離脱防止背面板を設けたことを特徴とする剪定鋏等の開閉ロック機構。
【考案の詳細な説明】
【技術の分野】
【０００１】  本考案は剪定鋏等の開閉ロック機構に関する。
【技術の背景】
【０００２】  一般的に剪定鋏等のロック開閉機構の有するものは、鋏の回動支持軸近傍いずれかの刃の延設部と回動軌跡上に、係止片を設け手指で回動操作してロックする（特開２００５−０１３０５２）もの、把握柄部いずれか端尾の外側に回動する係止片を設け、他方端尾の突起に係止する（特開２００２−０９５８７５）もの、把握柄部のいずれか端尾外側にバンドを設け他方の端尾に掛け外しを両手で行う（実公昭０７−００３３０１）ものが知られている。
【０００３】  しかし、回動片、係止片、バンドの掛け外し操作がわずらわしく、開いた状態で別な作業をすると、鋏の刃で怪我をする危険性が有り、両手で絶えず掛け外しをしなければならず非能率的である。
【０００４】  又、剪定で脚立や木の上の高所で都度、両手で鋏の操作を行うことは片手にヒモ、縄を持っての作業はいつも転落の危険性がある。
【０００５】
【特許文献１】  特開２００３−１６９５４１
【考案の開示】
【考案が解決しようとする課題】
【０００６】  上記述べたように、片手で鋏の柄の把握を繰り返すのみでロックと解除ができ、細い枝を切断するときなど、全閉をしなければロック機構が働かず、作業中、腰袋の出し入れも容易で使い易く能率の良い鋏を提供することを目的とする。
【問題を解決するための手段】
【０００７】  一対の鋏片の開閉中心部を回動可能に支持軸で蝶着し、前記開閉中心部より先端側に刃部を、基端側に横断形状がＵ字状の把握柄部を向かい合わせて設けた鋏に於いて、一方の把握柄部の支持軸と把握部の中間付近の前記Ｕ字状内側に、螺旋状に成形したコイルバネの螺旋内側を軸状係止手段で挿着し、巻き始めの長い直線部をＬ字状先端に、他端の巻き終わりを短い直線部に成形し、前記短い直線部をＵ字状受け部内側に反力受けとし当接させるとともに、Ｌ字状先端を他方の把握柄部の中央近傍のＵ字状内側のループ状循環溝に係合させ鋏を開き方向に付勢し、前記循環溝はＬ字状先端をナゾリながら循環する溝にあって、平行に設けた主直線と副直線と折り返し先に、Ｗ形状に屈曲した凹部と凸部と戻り側の前記副直線と屈曲して徐々に浅くなる段差の端部を前記主直線に合流するように設け、Ｌ字状先端の離脱防止背面板を設けて成ることを特徴としている。
【考案の効果】
【０００８】  本考案の剪定鋏等の開閉ロック機構は、両把握柄部をコイルバネの開く方向へ付勢させる先端を応用し、片手で把握柄部の把握を繰り返すのみでロック、解除が交互に作動し、脚立や木の上の高所作業でも片手で操作することが出来、わずらわしい係止片の掛け外しの操作が無く安全で能率的な作業ができる。
【０００９】  そして、Ｌ字状先端を端部と屈曲の手前の間で作動するように把握柄部の全閉を行わなければロック作用が働かない機構なので、小さな枝の切断に非常に能率的に使用できる。
【００１０】  構造が非常に簡単で製造コストが少なく高価値の鋏を提供することが出来る。
【考案を実施するための最良の形態】
【００１１】一対の鋏片の開閉中心部を回動可能に支持軸で蝶着し、開閉中心部より先端側に刃部を、基端側に横断形状がＵ字状の把握柄部を向かい合わせて設けた鋏に於いて、一方の把握柄部の支持軸と把握部の中間付近のＵ字状内側に、螺旋状に成形したコイルバネの螺旋内側をピンで挿着し、巻き始めの長い直線部をＬ字状先端に他端の巻き終わりを短い直線部に成形し、短い直線部をＵ字状受け部内側に反力受けとし当接させるとともに、Ｌ字状先端を他方の把握柄部の中央近傍のＵ字状内側のループ状循環溝に係合させ鋏を開き方向に付勢する、循環溝はＬ字状先端をナゾリながら循環する溝にあって、平行に設けた主直線と副直線と折り返し先に、Ｗ形状に屈曲した凹部と凸部と戻る副直線と屈曲して徐々に浅くなる段差の端部を主直線に合流するように設け、Ｌ字状先端の離脱防止背面板を設けている。
【実施例】
【００１２】  一対の鋏片の開閉中心部を回動可能に支持軸５で蝶着し、開閉中心部より先端側に刃部１，２を、基端側に横断形状がＵ字状の把握柄部３，４を向かい合わせて設けた鋏に於いて、一方の把握柄部４の支持軸５と把握部の中間付近のＵ字状内側に、螺旋状に成形したコイルバネ９の螺旋内側をピン６で係止し、巻き始めの長い直線部をＬ字状先端９Ａに他端の巻き終わりを短い直線部９Ｂに成形し、短い直線部９ＢをＵ字状受け部４Ａ内側に反力受けとし当接させるとともに、Ｌ字状先端９Ａを他方の把握柄部３の中央近傍のＵ字状内側のループ状循環溝１０に係合させ鋏を開き方向に付勢する、循環溝１０はＬ字状先端９Ａをナゾリながら循環する溝にあって、平行に設けた主直線１０Ｂと副直線１０Ｄと折り返し先に、Ｗ形状に屈曲１０Ｃした凹部８と凸部８Ａと戻る側の前記副直線１０Ｄと戻って徐々に浅くなる段差１０Ｅの端部を前記主直線に合流し端部１０Ａに達するように設け、Ｌ字状先端の離脱防止背面板を設けて成ることを特徴としている。
尚、本実施例では軸状係止手段はピンを使用している。【００１３】  図１に示す鋏の把握柄部３，４を握ると、Ｌ字状先端９Ａは凹部８から離脱し、緩めると付勢力で副直線１０Ｄをナゾリながら、徐々に高くなる段差１０Ｅを乗り越えて端部１０Ａに至り鋏は全開すると同時に開き止め１２に当接し図２の状態となる。【００１４】  次に把握柄部３，４を握るとＬ字状先端９Ａは、段差１０Ｅに乗り上げず、主直線１０Ｂをナゾリながら屈曲１０Ｃに至り、閉じ止め１１当接し、緩めると凹部８に係止して図１の状態に戻る。【００１５】  この時Ｌ字状先端９Ａは凸部８Ａに阻害され副直線１０Ｄに移動せず把握柄部３，４が閉じロックされる。【００１６】  図３は循環溝１０の一部切断拡大図を詳細に示し、循環溝１０の屈曲１０Ｃの凹部８にＬ字状先端９Ａが９Ｆに係止しているのを示し、把握柄部３，４を握ると凹部８から離脱し、緩めると付勢力で副直線１０Ｄの９Ｇ，９Ｈ，９Ｃに至りこの時鋏は全開する。【００１７】  そして、把握柄部３，４を握ると９Ｃから９Ｄ，９Ｅに至り閉じ止め１１に当接し、緩めるとＬ字状先端９Ａは凸部８Ａに阻害され副直線１０Ｄに移動せず、凹部８に係止し鋏は全閉ロックする、図３の矢印が示すように循環方向は付勢力で逆の循環はしない構造である。【００１８】  図４は図３のＢ−Ｂ断面図で、Ｌ字状先端９Ａと循環溝１０に対する関係位置を示し、段差１０Ｅが主直線１０Ｂより浅くなっている、図３で鋏のロック状態の凹部８から離脱した９Ｆは，９Ｇから副直線１０Ｄを、徐々に浅くなる段差１０Ｅを通り、主直線１０Ｂに至り端部１０Ａに達する。【００１９】  そして、端部１０Ａ、９Ｃから９Ｄに至る時、図１に示す付勢力と、図４に示す付勢力で段差１０Ｅに乗り上げず９Ｄ，９Ｅに、屈曲１０Ｃの凸部８Ａに阻害され９Ｆに至り凹部８に係止し鋏は全閉ロックする。【００２０】  鋏はたえずＬ字状先端９Ａで開く方向に付勢力させているので逆循環はしない構造である、又、循環過程で循環溝１０から離脱しないように背面板１３を設けている。【００２１】  図５は鋏体の一部縦断参考作動連続図で把握柄部３，４が開く時、Ｌ字状先端９Ａは循環溝１０の副直線１０Ｄをナゾリながら作動する図を示す。【００２２】  図６は鋏体の一部縦断参考作動連続図で把握柄部３，４が閉じる時、Ｌ字状先端９Ａは循環溝１０の主直線１０Ｂをナゾリながら作動する図を示す。【００２３】  循環溝１０の取り付け面がＬ字状先端９Ａの作動に対し平行であるが、前記Ｌ字状先端９Ａの先端形状を変え、離脱防止片を付加すれば垂直面でも良い。【００２４】  段差１０Ｅと主直線１０Ｂが交わる場所に、逆止可動片を設けてＬ字状先端９Ａが逆循環しない構造でも良い。【００２５】  循環溝１０の加工が困難な場合は、任意の軟鋼板を溝加工しＵの字に折り曲げて鋏柄部に固着しても良い。【００２６】  Ｌ字状先端９Ａの作動を円滑にするために循環溝１０を硬質プラスチック製にしてビス等で固着しても良い。
【産業上の利用可能性】
【００２７】  本発明に関わる剪定鋏等の開閉ロック機構は、工業製品として量産することが可能なため産業上の利用可能性を有する。
【図面の簡単な説明】
【００２８】
【図１】本考案の鋏体を閉じたときの縦断一部切断正面図である。
【図２】本考案の鋏体を開いたときの縦断一部切断正面図である。
【図３】本考案の循環溝の一部切断拡大正面図である。
【図４】本考案の循環溝のＢ−Ｂ一部切断拡大側面図である。
【図５】本考案の鋏体の開き方向の一部縦断参考作動連続図である。
【図６】本考案の鋏体の閉じ方向の一部縦断参考作動連続図である。
【符号の説明】
【００２９】１・・・・歯部
２・・・・歯部
３・・・・把握柄部
４・・・・把握柄部
４Ａ・・・受け部
５・・・・支持軸
６・・・・軸状
８・・・・凹部
８Ａ・・・凸部
９・・・・コイルバネ
９Ａ・・・Ｌ字状先端
９Ｂ・・・直線部
９Ｃ・・・Ｌ字状先端移動位置
９Ｄ・・・Ｌ字状先端移動位置
９Ｅ・・・Ｌ字状先端移動位置
９Ｆ・・・Ｌ字状先端移動位置
９Ｇ・・・Ｌ字状先端移動位置
９Ｈ・・・Ｌ字状先端移動位置
１０・・・循環溝
１０Ａ・・端部
１０Ｂ・・主直線
１０Ｃ・・屈曲
１０Ｄ・・副直線
１０Ｅ・・段差
１１・・・閉じ止め
１２・・・開き止め
１３・・・背面板
【図１】
0003121321.tif 000003
【図２】
0003121321.tif 000004
【図３】
0003121321.tif 000005
【図４】
0003121321.tif 000006
【図５】
0003121321.tif 000007
【図６】
0003121321.tif 000008